(57)【要約】【課題】下り勾配を持った複数の垂木を桁で支持する簡易建物において、所定の強度を満足し、屋根下面空間を狭くすることなく、種々の設置条件に対応できる自由度の高い施工ができる簡易建物を提供する。【解決手段】  本発明の簡易建物１において、複数の垂木５ａ〜５ｄは下り勾配をもって配置してあり、支持フレーム７は柱１５ａ、１５ｂと桁１７とを有し、桁１７は一端側に位置する垂木５ａと他端側に位置する垂木５ｄとの間隔寸法Ｗよりも長い長手方向寸法ｗを有し、垂木固定具９は桁１７の長手方向の任意位置に固定自在で且つ垂木の長手方向の任意位置に固定自在であり、各垂木固定具９の各垂木５ａ〜５ｄに対する固定位置が一端側に位置する垂木５ａから他端側に位置する垂木５ｄに向けて垂木長手方向に徐々に偏移するように桁１７を配置自在で且つ柱１５ａ、１５ｂを鉛直に立設自在としてある。【選択図】      図１
2005290730.tif 000002
【特許請求の範囲】
【請求項１】
下り勾配をもって適宜間隔をおいて配置した複数の垂木と、複数の垂木を支持する支持フレームと、垂木を支持フレームに固定する複数の垂木固定具とを備え、支持フレームは任意の間隔をおいて配置した柱と、柱に架設した桁とを有し、桁は複数の垂木のうちの一端側に位置する垂木と他端側に位置する垂木との間隔寸法よりも長い長手方向寸法を有し、垂木固定具は桁の長手方向の任意位置に固定自在で且つ垂木の長手方向の任意位置に固定自在であり、各垂木固定具の各垂木に対する固定位置が複数の垂木のうちの一端側に位置する垂木から他端側に位置する垂木に向けて垂木長手方向に徐々に偏移するように桁を配置自在で且つ柱を鉛直に立設自在であることを特徴とする簡易建物。
【請求項２】
下り勾配をもって適宜間隔をおいて配置した複数の垂木と、複数の垂木を支持する支持フレームと、垂木を支持フレームに固定する複数の垂木固定具とを備え、支持フレームは任意の間隔をおいて配置した柱と、桁と、柱の桁に対する角度を変更して柱を鉛直に立設自在に桁に繋ぐ連結具とを有し、桁は複数の垂木のうちの一端側に位置する垂木と他端側に位置する垂木との間隔寸法よりも長い長手方向寸法を有し、柱は長手方向寸法を調整自在であり、垂木固定具は桁の長手方向の任意位置に固定自在で且つ垂木の長手方向の任意位置に固定自在であることを特徴とする簡易建物。
【請求項３】
下り勾配をもって適宜間隔をおいて配置した複数の垂木と、複数の垂木を支持する支持フレームと、垂木を支持フレームに固定する複数の垂木固定具とを備え、支持フレームは任意の間隔をおいて配置した柱と、柱に架設した桁とを有し、桁は複数の垂木のうちの一端側に位置する垂木と他端側に位置する垂木との間隔寸法よりも長い長手方向寸法を有し、垂木固定具は、桁の長手方向の任意の位置に固定自在で且つ垂木の長手方向の任意の位置に固定自在であると共に、上下方向寸法を調整自在としてあることを特徴とする簡易建物。
【請求項４】
垂木固定具は、桁の長手方向の任意位置に固定する桁側固定具と、垂木の長手方向の任意位置に固定する垂木側固定具とから成り、桁側固定具及び垂木側固定具の一方の他方に対する重合長さを調整して固定することにより上下方向寸法を調整自在としてあることを特徴とする請求項３に記載の簡易建物。
【請求項５】
垂木固定具は、桁の長手方向の任意位置に固定する桁側固定具と、垂木の長手方向の任意位置に固定する垂木側固定具とから成り、桁側固定具及び垂木側固定具の少なくともいずれか一方の上下方向寸法を切り縮めて他方に固定することにより上下方向寸法を調整自在としてあることを特徴とする請求項３に記載の簡易建物。
【発明の詳細な説明】
【技術分野】
【０００１】
本発明は、テラス等の簡易建物に関する。
【背景技術】
【０００２】
柱を立設する場合に庭木が邪魔になったり土地の形状の制約により柱の設置位置が限られることがある。
これに対して、特許文献１には、下り勾配をもって適宜間隔をおいて配置した複数の垂木を、垂木固定具で桁に固定し、桁はその長手方向に間隔をあけて配置した柱に固定してある簡易建物が開示されている。この特許文献１の技術では、垂木固定具が桁の長手方向及び垂木の長手方向の任意位置で取り付け自在にすると共に、柱が桁の長手方向の任意位置で取り付け自在として、柱の立設位置を変更できることが開示されている。
【０００３】
【特許文献１】特開平１０−８８６６２号公報
【発明の開示】
【発明が解決しようとする課題】
【０００４】
しかし、上述の従来技術では、桁は垂木に対して直角を成す位置に配置されることに限られているので、柱の位置を屋根の内側に向けて桁の長手方向に移動したときは強度のバランスが悪くなり、桁の位置を移動して柱の立設位置を変えた場合、一端側及び他端側の両方において柱と躯体との間の通路空間が狭くなるという問題がある。
【０００５】
そこで、本発明は、下り勾配を持った複数の垂木を桁で支持する簡易建物において、所定の強度を満足し、屋根下面空間を狭くすることなく、種々の設置条件に対応できる自由度の高い施工ができる簡易建物の提供を目的とする。
【課題を解決するための手段】
【０００６】
請求項１に記載の発明は、下り勾配をもって適宜間隔をおいて配置した複数の垂木と、複数の垂木を支持する支持フレームと、垂木を支持フレームに固定する複数の垂木固定具とを備え、支持フレームは任意の間隔をおいて配置した柱と、柱に架設した桁とを有し、桁は複数の垂木のうちの一端側に位置する垂木と他端側に位置する垂木との間隔寸法よりも長い長手方向寸法を有し、垂木固定具は桁の長手方向の任意位置に固定自在で且つ垂木の長手方向の任意位置に固定自在であり、各垂木固定具の各垂木に対する固定位置が複数の垂木のうちの一端側に位置する垂木から他端側に位置する垂木に向けて垂木長手方向に徐々に偏移するように桁を配置自在で且つ柱を鉛直に立設自在であることを特徴とする。
【０００７】
請求項２に記載の発明は、下り勾配をもって適宜間隔をおいて配置した複数の垂木と、複数の垂木を支持する支持フレームと、垂木を支持フレームに固定する複数の垂木固定具とを備え、支持フレームは任意の間隔をおいて配置した柱と、桁と、柱の桁に対する角度を変更して柱を鉛直に立設自在に桁に繋ぐ連結具とを有し、桁は複数の垂木のうちの一端側に位置する垂木と他端側に位置する垂木との間隔寸法よりも長い長手方向寸法を有し、柱は長手方向寸法を調整自在であり、垂木固定具は桁の長手方向の任意位置に固定自在で且つ垂木の長手方向の任意位置に固定自在であることを特徴とする。
【０００８】
請求項３に記載の発明は、下り勾配をもって適宜間隔をおいて配置した複数の垂木と、複数の垂木を支持する支持フレームと、垂木を支持フレームに固定する複数の垂木固定具とを備え、支持フレームは任意の間隔をおいて配置した柱と、柱に架設した桁とを有し、桁は複数の垂木のうちの一端側に位置する垂木と他端側に位置する垂木との間隔寸法よりも長い長手方向寸法を有し、垂木固定具は、桁の長手方向の任意の位置に固定自在で且つ垂木の長手方向の任意の位置に固定自在であると共に、上下方向寸法を調整自在としてあることを特徴とする。
【０００９】
請求項４に記載の発明は、請求項３に記載の発明において、垂木固定具は、桁の長手方向の任意位置に固定する桁側固定具と、垂木の長手方向の任意位置に固定する垂木側固定具とから成り、桁側固定具及び垂木側固定具の一方の他方に対する重合長さを調整して固定することにより上下方向寸法を調整自在としてあることを特徴とする。
【００１０】
請求項５に記載の発明は、請求項３に記載の発明において、垂木固定具は、桁の長手方向の任意位置に固定する桁側固定具と、垂木の長手方向の任意位置に固定する垂木側固定具とから成り、桁側固定具及び垂木側固定具の少なくともいずれか一方の上下方向寸法を切り縮めて他方に固定することにより上下方向寸法を調整自在としてあることを特徴とする。
【発明の効果】
【００１１】
請求項１に記載の発明によれば、下り勾配を持った複数の垂木を桁で支持する簡易建物において、桁は複数の垂木のうちの一端側に位置する垂木と他端側に位置する垂木との間隔寸法よりも長手方向寸法を長くしており、且つ一端側垂木を固定する垂木固定具に対して他端側垂木を固定する垂木固定具の固定位置を垂木の長手方向に偏移自在としているので、桁を垂木に対して斜めになるように取り付けることもできる。
したがって、従来技術のように桁は垂木に対して直角を成す位置に配置されることに限られず且つ柱の位置が屋根の内側に移動することに限られないので従来技術のような強度のバランスが悪くなることがなく、所定の強度を満足する位置に柱を設置できると共に屋根下に柱を配置することに限らずに柱を屋根からはみ出した位置にも設置できるので屋根下の空間を広くとることができる。また、柱の設置位置の自由度が高いから、土地の形状の制約や障害物を避けた位置にも容易に柱を設置でき、種々の設置条件に対応した自由度の高い施工ができる。
【００１２】
請求項２に記載の発明によれば、下り勾配を持った複数の垂木を桁で支持する簡易建物において、桁は複数の垂木のうちの一端側に位置する垂木と他端側に位置する垂木との間隔寸法よりも長手方向寸法を長くしており、垂木固定具は桁の長手方向及び垂木の長手方向の任意位置で固定自在であるから桁を垂木に対して斜めに取り付けることもできる。
したがって、従来技術のように桁は垂木に対して直角を成す位置に配置されることに限られず且つ柱の位置が屋根の内側に移動することに限られないので従来技術のような強度のバランスが悪くなることがなく、所定の強度を満足する位置に柱を設置できると共に屋根下に柱を配置することに限らずに柱を屋根からはみ出した位置にも設置できるので屋根下の空間を広くとることができる。また、柱の設置位置の自由度が高いから、土地の形状の制約や障害物を避けた位置にも容易に柱を設置でき、種々の設置条件に対応した自由度の高い施工ができる。
柱は長手方向寸法を調整自在であるから、桁を垂木に対して斜めに取り付けるときの柱の高さ調整が容易にできる。
また、桁と柱の上端を繋ぐ連結具は柱に対する桁の取り付け角度が変更自在であるから、垂木に対して桁を斜めに取り付ける場合にそれに伴なって調整した柱の高さに多少のずれがあっても角度を調整することにより調整することができる。
【００１３】
請求項３に記載の発明によれば、下り勾配を持った複数の垂木を桁で支持する簡易建物において、桁は複数の垂木のうちの一端側に位置する垂木と他端側に位置する垂木との間隔寸法よりも長手方向寸法を長くしており、垂木固定具は桁の長手方向及び垂木の長手方向の任意位置で固定自在であるから桁を垂木に対して斜めに取り付けることができる。
したがって、従来技術のように桁は垂木に対して直角を成す位置に配置されることに限られず且つ柱の位置が屋根の内側に移動することに限られないので従来技術のような強度のバランスが悪くなることがなく、所定の強度を満足する位置に柱を設置できると共に屋根下に柱を配置することに限らずに柱を屋根からはみ出した位置にも設置できるので屋根下の空間を広くとることができる。また、柱の設置位置の自由度が高いから、土地の形状の制約や障害物を避けた位置にも容易に柱を設置でき、種々の設置条件に対応した自由度の高い施工ができる。
垂木固定具は上下方向寸法を調整自在であるから、桁を垂木に対して斜めに取り付けたときの桁に対する垂木の高さ調整が容易にできる。
【００１４】
請求項４に記載の発明によれば、請求項３に記載の発明と同様な効果を奏すると共に、垂木固定具の上下寸法の調整は、桁側固定具と垂木側固定具の重合寸法を調整して行うから、施工時に予め垂木と桁との間隔を測って垂木固定具の寸法を調整しておく必要がなく、施工が容易にできる。
【００１５】
請求項５に記載の発明によれば、請求項３に記載の発明と同様な効果を奏すると共に、垂木固定具の上下寸法の調整は、桁側固定具と垂木側固定具の少なくとも一方を切り縮めて行うので、垂木固定具を簡易な構成にできる。
【発明を実施するための最良の形態】
【００１６】
以下に、添付図面を参照して本発明の実施の形態を説明するが、まず、図１〜図４を参照して第１実施の形態を説明する。図１（ａ）は第１実施の形態にかかる簡易建物の平面図であり、（ｂ）は（ａ）に示すＡ−Ａ断面図であり、図２は垂木と桁とを固定した垂木固定具の分解斜視図であり、図３は図１（ａ）のＢ−Ｂ断面図であり、図４は図１（ａ）のＣ−Ｃ断面図である。尚、図１（ｂ）はパネル及びその取り付け具を除いて示している。
本実施の形態にかかる簡易建物１は、テラスであり、家屋の外壁２から下り勾配をもって傾斜した屋根３を有するものである。
簡易建物１は、複数の垂木５ａ〜５ｄと、支持フレーム７と、垂木５ａ〜５ｄを支持フレーム７に固定する複数の垂木固定具９とを備えている。
複数の垂木５ａ〜５ｄは各々下り勾配をもって互いに適宜間隔をおいて配置してあり、各垂木５ａ〜５ｄの上端は外壁２に取り付けられた垂木掛け１１に固定されており、下端には垂木掛け１１と略平行に配置した前枠１３が取り付けられている。各垂木５ａ〜５ｄにはそれぞれ左右の両側側面に垂木固定具９の被止部２７が垂木の長手方向に設けてある。
支持フレーム７は任意の間隔をおいて配置した少なくとも２本の柱１５ａ、１５ｂと、柱１５ａ、１５ｂ間に架設した桁１７とを有している。桁１７は複数の垂木５ａ〜５ｄのうちの一端側に位置する垂木５ａと他端側に位置する垂木５ｄとの間隔寸法Ｗよりも長い長手方向寸法ｗを有しており、桁１７は垂木５ａ〜５ｄに対して斜めに取り付けている。桁１７において一端側垂木５ａが連結された一端側には一方の柱１５ａが連結されており、他端側垂木５ｄから屋根３をはみだして位置する他端側には他方の柱１５ｂが連結されている。桁１７の上面には垂木固定具９の係止溝２９が桁１７の長手方向に設けてある。
各柱１５ａ、１５ｂの上端と桁１７は連結具１９により連結されている。連結具１９は柱側固定部２１と桁側固定部２３とを有しており、柱側固定部２１と桁側固定部２３とは桁の長手方向に直交する水平軸２５により回動可能に連結されており、柱１５ａ、１５ｂの桁１７に対する角度が変更自在になっている。尚、水平軸２５はボルトであり、ボルト・ナットの締め付けて柱側固定部２１と桁側固定部２３を固定し、ボルト・ナットを緩めて角度を調整するようになっている。
各柱１５ａ、１５ｂは高さが異なっており、長手方向を切り縮めて高さを調整してある。
垂木固定具９は、桁１７の長手方向の任意位置に固定自在で且つ垂木５ａ〜５ｄの長手方向の任意位置に固定自在に各垂木５ａ〜５ｄと桁１７とを連結してある。垂木固定具９は、係止板３１と、ボルト３３と、ナット３５とを備えており、係止板３１には垂木の被係止部２７に係止する垂木側係止部３７と桁１７の係止溝２９に頭を係止したボルト３３の軸を挿通する桁側固定部３９とを有しており、桁側固定部３９はボルト３３とナット３５により桁１７に固定されている。
このような垂木固定具９の構成により、垂木固定具９は桁１７の長手方向及び垂木５ａ〜５ｄの長手方向に各任意の位置で取り付け自在であり、一端側垂木５ａを固定する垂木固定具９は、他端側垂木５ｄを固定する垂木固定具９の固定位置に対して、垂木５ａ〜５ｄの長手方向に偏移自在である。
【００１７】
次に、本実施の形態にかかる壁面構成体の施工、作用及び効果について説明する。簡易建物１の施工は、外壁２に固定した垂木掛け１１に一端側垂木５ａと他端側垂木５ｄの上端を係止する。次に、各柱１５ａ、１５ｂに桁１７を連結具１９により固定して支持フレーム７を組み立てた後、支持フレーム７を立てて桁１７の上に一端側垂木５ａと他端側垂木５ｄの下端側を載せながら、柱１５ａ、１５ｂが障害物等の邪魔にならないような任意の位置に柱１５ａ、１５ｂの位置を調節して支持フレーム７の位置決めする。支持フレームの位置決めをした後、支持フレーム７の高さ具合を見る。そして、高さ具合に応じて各柱１５ａ、１５ｂの長さを切り縮めて支持フレーム７の高さを調節する。支持フレームの高さを調節した後、柱１５ａ、１５ｂを地面に固定し、一端側垂木５ａと他端側垂木５ｄの下端側をフレーム７の桁１７に掛け渡し、桁１７には係止溝２９にボルト３３の頭を係止して、一端側垂木５ａと他端側垂木５ｂをそれぞれ桁１７に垂木固定具９で固定する。
そして、残りの垂木５ｂ、５ｃを垂木掛け１１に係止するとともに桁１７に掛け渡してそれぞれ垂木固定具９で垂木５ｂ、５ｃを桁１７に固定する。
垂木固定具９は、係止板３１の垂木側係止部３７を垂木の被係止部２７に係止して、桁１７の係止溝２９に係止したボルト３３を係止板３１の桁側固定部３９に挿通してナット３５で固定する。
支持フレーム７において桁１７は、下り勾配をもって配置した垂木５ａに対して斜めに配置してあり、一端側垂木５ａ側と他端側垂木５ｄ側とで柱１５ａ、１５ｂの高さが異なることになるが、高さの調整は柱１５ａ、１５ｂを切り縮めて行うほか、微調整は連結具１９のボルト（水平軸）２５のナットを緩めて柱側固定部２１に対する桁側固定部２３の角度を変えて調整する。
本実施の形態によれば、下り勾配を持った複数の垂木５ａ〜５ｄを桁１７で支持する簡易建物１において、桁１７は一端側垂木５ａと他端側垂木５ｄとの間隔寸法Ｗよりも長手方向寸法ｗを長くしており、且つ一端側垂木５ａを固定する垂木固定具９に対して他端側垂木５ｄを固定する垂木固定具９の固定位置を垂木５ａ〜５ｄの長手方向に偏移自在としているので、桁１７を垂木５ａ〜５ｄに対して斜めに取り付けることができる。
柱１５ａ、１５ｂは切り縮めにより長手方向寸法を調整自在であるから、桁１７を垂木５ａ〜５ｄに対して斜めに取り付けるときの柱１５ａ、１５ｂの高さ調整が容易にできる。
桁１７と柱１５ａ、１５ｂの上端を繋ぐ連結具１９は柱１５ａ、１５ｂに対する桁１７の取り付け角度が変更自在であるから、垂木５ａ〜５ｄに対して桁１７を斜めに取り付ける場合にそれに伴なって調整した柱柱１５ａ、１５ｂの高さに多少のずれや誤差があっても角度を変えることにより容易に調整することができる。
本実施の形態では、従来技術のように桁１７は垂木５ａ〜５ｄに対して直角を成す位置に配置されることに限られず且つ柱１５ａ、１５ｂの位置が屋根３の内側に移動することに限られないので従来技術のような屋根３の強度のバランスが悪くなることがなく、屋根３の強度を満足する位置に柱１５ａ、１５ｂを設置できる。
更に、屋根３の下に両方の柱１５ａ、１５ｂを配置することに限らずに少なくとも一方の柱１５ｂを屋根からはみ出した位置に設置できるので屋根３の下の空間を広く利用することができる。
また、柱１５ａ、１５ｂの設置位置の自由度が高いから、土地の形状の制約や障害物を避けた位置にも容易に柱１５ａ、１５ｂを設置でき、例えばテラスの横に狭い通路がある場合等にもそのような狭い通路を避けて柱１５ａ、１５ｂを設置したり、種々の設置条件に対応した自由度の高い施工ができる。
【００１８】
以下に本発明の他の実施の形態を説明するが、以下に説明する実施の形態において、上述した第１実施の形態と同一の作用効果を奏する部分には同一の符号を付することにより、その部分の詳細な説明を省略し、上述した第１実施の形態と主に異なる点を説明する。
図５〜図８を参照して第２実施の形態を説明する。図５（ａ）は図８に示すＧ−Ｇ断面図であり、（ｂ）は（ａ）のＥ−Ｅ断面図であり、図６は垂木側固定具の斜視図であり、図７は図５（ａ）のＦ−Ｆ断面図であり、図８は第２実施の形態にかかる簡易建物の平面図である。
第２実施の形態では、上述した第１実施の形態に対して、柱１５ａ、１５ｂと桁１７とを連結する連結具１９が柱１５ａ、１５ｂの桁１７に対する角度を変更自在にしていない点、及び垂木固定具９が高さ調整自在になっている点が異なる。
垂木固定具９は、桁側固定具４３と垂木側固定具部４５から構成されており、桁側固定具４３と垂木側固定４５とは一方に対する他方の重合長さを調整して、上下方向寸法を調整自在にしてある。
桁側固定具４３は略円筒形状を成しており、円筒の下端に取付た固定板４６を桁１７の係止溝２９に係止したボルト３３で桁１７に固定している。
垂木側固定具４５は下側部が桁側固定具４３の円筒の外径よりを大きな径の内径を有する略円筒形を成しており、内周側に桁側固定具４３の上部を呑み込んでおり、垂木側固定具４５と桁側固定具４３とが重合した部分をねじ４９により固定している。
垂木側固定具４５の上側部には垂木固定部４７が設けてあり、垂木固定部４７は垂木５ａ〜５ｄの左右側面に位置して垂木５ａ〜５ｄを挟んでおり、ねじ５０により垂木５ａ〜５ｄに固定している。
【００１９】
この第２実施の形態にかかる簡易建物の施工は、外壁２に固定した垂木掛け１１に一端側垂木５ａと他端側垂木５ｄの上端を係止する。一方、各柱１５ａ、１５ｂに桁１７を連結具１９により固定して支持フレーム７を組み立てて、柱１５ａ、１５ｂが障害物等の邪魔にならないような任意の位置に柱１５ａ、１５ｂの位置を調節して支持フレーム７を固定する。次に、一端側垂木５ａと他端側垂木５ｄの下端側をフレーム７の桁１７に掛け渡し、一端側垂木５ａと他端側垂木５ｂをそれぞれ桁１７に垂木固定具９で上下寸法の調節をしながら適当な高さで固定する。垂木固定具９の上下寸法の調整は桁側固定具４３と垂木側固定具４５との重合長さを調整して行う。そして、残りの垂木５ｂ、５ｃを垂木掛け１１に係止するとともに桁１７に掛け渡してそれぞれ垂木固定具９の上下寸法を調節して垂木５ｂ、５ｃを桁１７に固定する。
【００２０】
この第２実施の形態によれば、第１実施の形態と異なり柱１５ａ、１５ｂの高さ調整をする必要がなく、垂木５ａ〜５ｄと桁１７との高さ調整は、垂木固定具９の上下寸法を調整により行うことができ、施工が容易である。
垂木固定具９の上下寸法の調整は桁側固定具４３と垂木側固定具４５との重合長さを調整して行うので、上下寸法の調整が容易にできる。
【００２１】
次に、図９を参照して第３実施の形態を説明する。図９は第３実施の形態にかかる簡易建物を図８のＭ−Ｍ位置と同じ位置で切断した断面図である。
この第３実施の形態では、垂木固定具９は、桁側固定具４３と垂木側固定具４５で構成されているが、桁側固定具４３には垂木側固定具４５の下端が当接する受け部５１が設けてあり、垂木側固定具４５の下端が受け部５１に当接した位置で垂木側固定具４５と桁側固定具４３とをねじ４９で固定している。この第３実施の形態では、垂木側固定具４５の下端を切り縮めて垂木固定具９の上下寸法を調整するものである。
この第３実施の形態では、第２実施の形態と同様な手順で施工する。第３実施の形態によれば、第２実施の形態と同様な効果を得られるとともに、垂木固定具９の上下寸法の調整は垂木側固定具４５の切り縮めにより行うから垂木固定具９の構成を簡易にできる。
【００２２】
図１０及び図１１を参照して第４実施の形態を説明する。図１０は第４実施の形態にかかる簡易建物の平面図であり、図１１は図１０においてＳ方向から見た正面図である。この第４実施の形態にかかる簡易建物１は、カーポートであり、屋根３は複数の垂木５ａ〜５ｄを下り勾配を持って傾斜して配置したものである。支持フレーム７、７は複数あり、この実施の形態では一方及び他方の支持フレーム７、７を略ハの字状に配置している。各垂木５ｂ、５ｃと桁１７との連結及び各垂木５ｅ、５ｆと桁１７との連結は、それぞれ第１実施の形態と同様な垂木固定具９を用いて固定してある。
【００２３】
この第４実施の形態にかかる簡易建物１の施工は、屋根３を予め組んでおき、例えば、一方の支持フレーム７ａを組み立てて一方の支持フレーム７ａの柱１５ａ、１５ｂを障害物を避けた任意の位置に固定して、屋根３の一端側垂木５ａ側を一方の支持フレーム７の桁１７上に載せるとともに、他方の支持フレーム７ｂを立てて屋根３の他端側垂木５ｄ側を他方の支持フレーム７ｂの桁１７上に載せる。他方の支持フレーム７ｂは、他方の柱１５ｂが障害物を避ける位置にくるように屋根３を載せたまま他方の柱１５ｂの位置を調整し、調整した位置で桁１７と屋根の垂木５ｅ、５ｄとの高さが合うように他方の柱１５ｂを切り縮めて長さを調節してから、各柱１５ａ、１５ｂを地面に固定する。その後、各垂木５ａ、５ｂ及び一方のフレーム７ａの桁１７と、各垂木５ｅ、５ｆ及び他方のフレーム７ｂの桁１７とをそれぞれ第１実施形態で用いた垂木固定具９で固定する。
この第４実施の形態においても上述した第１実施の形態と同様な作用効果を奏することができる。
【００２４】
本発明は、上述した実施の形態に限らず、本発明の要旨を逸脱しない範囲で種々変形可能である。
例えば、本発明にかかる簡易建物１は、テラスやカーポ−トに限るものでなく、例えば通路シェルタ等であってもよく、用途は限定されない。
上述した実施の形態において、図１２に示すように、桁１７は一端側に位置する垂木５ａと他端側に位置する垂木５ｄとの間に収まるものであってもよいし、一端側垂木５ａ及び他端側垂木５ｄとの両側からそれぞれはみ出すものであってもよい。また、図１３に示すように、屋根３が大型のもので、一端側に位置する垂木５ａと他端側に位置する垂木５ｄとの間が長い場合には屋根３の下に第３の柱１５ｃを設けてもよい。尚、図１２及び図１３は簡易建物の平面図である。
第1実施の形態において、柱１５ａ、１５ｂの長さの調節は、柱１５ａ、１５ｂの上端や下端を切り縮めて調節することに限らず、柱１５ａ、１５ｂの下端に設けた台座と柱１５ａ、１５ｂの下端とを上下方向で重合する構成とし、重合位置を調節することにより、柱１５ａ、１５ｂの高さを変えるものであっても良い。
第４実施の形態において、ハの字を形成している２つの支持フレーム７ａ、７ｂにおいて各垂木５ｂ、５ｃと桁１７との連結及び各垂木５ｅ、５ｆと桁１７との連結には、それぞれに第２実施の形態や第３実施の形態と同様な垂木固定具９を用いて固定してもよいし、一方の支持フレーム７ａの桁１７と各垂木５ｂ、５ｃとの固定に第２実施の形態にかかる垂木固定具９を用い、他方の支持フレーム７ｂの桁１７と各垂木５ｅ、５ｆとの固定に第３実施の形態にかかる垂木固定具９を用いて、垂木と桁との間の長さを調節するものであってもよい。これらの場合には、他方の支持フレーム７ｂの柱１５ｂの長さ調節が不要になる。
第２実施の形態において、垂木固定具９の桁側固定具４３及び垂木側固定具４５はそれぞれ重合部を略円筒形にすることに限らず、四角筒としてもよいし形状は限定されない。
第３実施の形態において、垂木固定具９の桁側固定具４３には垂木側固定具４５の下端が当接する受け部５１を設けずに、桁側固定具４３と垂木側固定具４５をねじ固定するものであってもよい。この場合には、桁側固定具４３を切り縮めて長さを調整するものであってもよい。
【図面の簡単な説明】
【００２５】
【図１】（ａ）は第１実施の形態にかかる簡易建物の平面図であり、（ｂ）は（ａ）に示すＡ−Ａ断面図である。
【図２】垂木と桁とを固定した垂木固定具の分解斜視図である。
【図３】図１（ａ）のＢ−Ｂ断面図である。
【図４】図１（ａ）のＣ−Ｃ断面図である。
【図５】（ａ）は図８に示すＧ−Ｇ断面図であり、（ｂ）は（ａ）のＥ−Ｅ断面図である。
【図６】垂木側固定具の斜視図である。
【図７】図５（ａ）のＦ−Ｆ断面図である。
【図８】第２実施の形態にかかる簡易建物の平面図である。
【図９】第３実施の形態にかかる簡易建物を図８のＭ−Ｍ位置と同じ位置で切断した断面図である。
【図１０】第４実施の形態にかかる簡易建物の平面図である。
【図１１】図１０の簡易建物をＳ方向から見た正面図である。
【図１２】他の実施の形態にかかる簡易建物の平面図である。
【図１３】他の実施の形態にかかる簡易建物の平面図である。
【符号の説明】
【００２６】
１                      簡易建物
５ａ〜５ｆ              垂木
７、７ａ、７ｂ          支持フレーム
９                      垂木固定具
１５ａ、１５ｂ、１５ｃ  柱
１７                    桁
１９                    連結具
４３                    桁側固定具
４５                    垂木側固定具
【図１】
2005290730.tif 000003
【図２】
2005290730.tif 000004
【図３】
2005290730.tif 000005
【図４】
2005290730.tif 000006
【図５】
2005290730.tif 000007
【図６】
2005290730.tif 000008
【図７】
2005290730.tif 000009
【図８】
2005290730.tif 000010
【図９】
2005290730.tif 000011
【図１０】
2005290730.tif 000012
【図１１】
2005290730.tif 000013
【図１２】
2005290730.tif 000014
【図１３】
2005290730.tif 000015